(57)【要約】【課題】高輝度化を図ることができるスクリーンを提供すること。【解決手段】画像を形成する光が入射される入射面を有するスクリーンであって、入射面１１は、光を反射させる反射領域をそれぞれ有し、入射面１１及び当該入射面１１の延長面のいずれかの面上の第１基準点Ｐ１を中心とする略円状の複数の列Ｌ１に沿ってそれぞれ形成される複数の第１凹部と、第１凹部の列Ｌ１間に形成され、第１凹部に光を入射させる複数の第２凹部と、を有し、第２凹部のうち、入射面１１の中心点と第１基準点Ｐ１とを通る仮想の直線である基準線ＶＬを挟んで一方（＋Ｘ方向）側に位置する第２凹部は、入射面１１に沿い、かつ、基準線ＶＬに対する直交方向に沿って、第１基準点Ｐ１から他方（−Ｘ方向）側に設定された第２基準点Ｐ２を中心とする略円状に配列されている。【選択図】図４
2012145686.tif 000002
【特許請求の範囲】
【請求項１】
画像を形成する光が入射される入射面を有するスクリーンであって、
前記入射面は、
前記光を反射させる反射領域をそれぞれ有し、前記入射面及び当該入射面の延長面のいずれかの面上に設定された第１基準点を中心とする略円状の複数の列に沿ってそれぞれ形成される複数の第１凹部と、
前記第１凹部の列間に形成され、前記第１凹部に前記光を入射させる複数の第２凹部と、を有し、
前記第２凹部のうち、前記入射面の中心点と前記第１基準点とを通る仮想の直線である基準線を挟んで一方側に位置する第２凹部は、前記第１基準点から、前記入射面に沿い、かつ、前記基準線に対する直交方向に沿って他方側に設定された第２基準点を中心とする略円状に配列されている
ことを特徴とするスクリーン。
【請求項２】
請求項１に記載のスクリーンにおいて、
前記第２凹部は、前記第１基準点から所定寸法離れた位置から前記第１凹部の列間に形成される
ことを特徴とするスクリーン。
【請求項３】
請求項１又は請求項２に記載のスクリーンにおいて、
前記第２基準点の位置は、前記第１基準点からの前記第２凹部の距離に応じて、当該第１基準点から離れる
ことを特徴とするスクリーン。
【発明の詳細な説明】
【技術分野】
【０００１】
本発明は、スクリーンに関する。
【背景技術】
【０００２】
従来、プロジェクターから投射された画像（投射光）を正面側に位置する観察者に向けて反射させて、当該画像を表示するスクリーンが知られている。このようなスクリーンとして、投射光が下側から斜方入射される正面に微細な凹面部が形成されたスクリーンが知られている（例えば、特許文献１参照）。
この特許文献１に記載のスクリーンには、略一定の曲率で形成された凹面部が、正面又は当該正面の延長面上に設定された基準点を中心とする同心円状に複数列形成されている。これら凹面部において投射光が入射される位置には、反射部が形成されており、当該反射部により、入射された画像を観察者側に反射させている。
【０００３】
このようなスクリーンには、前述のように、当該スクリーンの下側に位置するプロジェクターから投射光が斜方入射されるので、当該スクリーンにおける下部から上部に向かうに従って、スクリーンの法線に対する投射光の軌跡との角度が大きくなる。このため、スクリーンにおける下部に形成された凹面部では、投射光は、当該凹面部の底部近傍に入射されるが、上部に形成された凹面部では、投射光は、当該凹面部の上端縁近傍に入射されることとなる。この凹面部における上端縁の傾斜は大きいため、当該上端縁近傍に入射された光は、適切に正面側に反射されない場合があり、このような場合には、スクリーンの正面側の必要な範囲全体に投射光が反射されなくなり、スクリーンの視野角を確保することが困難になる。
【０００４】
このため、特許文献１に記載のスクリーンでは、凹面部の曲線軌跡同士の間に、更に他の凹面部が形成されている。他の凹面部は、スクリーンにおける上部に形成された凹面部における、入射された投射光を正面側に適切に反射可能な領域（有効反射領域）に、当該投射光を適切に入射させるためのものである。換言すると、当該他の凹面部は、投射光が入射される凹面部における基準点側の端縁の高さを低くするためのものである。このような他の凹面部により、凹面部の底部近傍の有効反射領域に投射光を適切に入射させることができ、スクリーンの視野角を確保することができる。
【先行技術文献】
【特許文献】
【０００５】
【特許文献１】特開２０１０−９６８８３号公報
【発明の概要】
【発明が解決しようとする課題】
【０００６】
上記他の凹面部は、凹面部の曲線軌跡同士の間に配置されるため、例えば、前述の基準点を中心とし、当該凹面部の曲線軌跡に沿う同心円状に沿って、当該他の凹面部を形成することが考えられる。この場合、スクリーンの設計が容易である。
しかしながら、凹面部と他の凹面部とを同心円状に形成すると、当該他の凹面部の配置位置が理想の配置位置からずれる。この場合、他の凹面部の中心を上部（基準点から遠い側）に形成された凹面部の中心から離間させて、凹面部の有効反射領域に投射光を入射させる必要があるが、このように他の凹面部を上部に形成された凹面部から離間させると、有効反射領域を有する凹面部を密に配置することが困難となる。このため、有効反射領域以外で投射光が入射される領域の面積が大きくなって、適切でない方向（観察者側でない方向）に光が反射されてしまうことにより、スクリーンの高輝度化を十分に図れないという問題がある。
【０００７】
本発明の目的は、高輝度化を図ることができるスクリーンを提供することである。
【課題を解決するための手段】
【０００８】
前記した目的を達成するために、本発明のスクリーンは、画像を形成する光が入射される入射面を有するスクリーンであって、前記入射面は、前記光を反射させる反射領域をそれぞれ有し、前記入射面及び当該入射面の延長面のいずれかの面上に設定された第１基準点を中心とする略円状の複数の列に沿ってそれぞれ形成される複数の第１凹部と、前記第１凹部の列間に形成され、前記第１凹部に前記光を入射させる複数の第２凹部と、を有し、前記第２凹部のうち、前記入射面の中心点と前記第１基準点とを通る仮想の直線である基準線を挟んで一方側に位置する第２凹部は、前記第１基準点から、前記入射面に沿い、かつ、前記基準線に対する直交方向に沿って他方側に設定された第２基準点を中心とする略円状に配列されていることを特徴とする。
【０００９】
なお、略円には、「円（真円、正円）」の他にも、「円」を基準として変形させた形状（例えば「楕円」や「自由曲線」によるもの、並びに、これらの組合せ）も含まれる。更には、「楕円」及び「自由曲線」を構成する曲線（例えば、円弧）と直線との組合せ等も含まれる。
【００１０】
本発明によれば、第１凹部の列の中心となる第１基準点と、当該第１凹部に光を入射させる第２凹部の列の中心となる第２基準点とは、異なる位置に設定されている。すなわち、第１基準点と入射面の中心点とを通る基準線を挟んで一方側に位置する第２凹部の列の中心である第２基準点は、入射面に沿い、かつ、当該基準線に対する直交方向に沿って、第１基準点から他方側にずれて設定されている。
【００１１】
これによれば、第２凹部を、当該第２凹部に対応し、かつ、当該第２凹部上を通過した光が入射される第１凹部に対して理想的な位置に配置することができる。このため、第１凹部に入射された光を観察者側に適切に反射させる領域である有効反射領域を確保したままで、第１凹部の中心と第２凹部の中心との間の距離を短くでき、これらの寸法を小さくできる。換言すると、第１凹部において有効反射領域以外の領域の面積、すなわち、入射された光を観察者側とは異なる方向に反射させる領域の面積を小さくすることができる。従って、第１凹部が有効反射領域を確保しつつ、当該第１凹部及び第２凹部を小さく設計でき、これらによって構成されるレンズを入射面上に密に形成することができる。よって、有効反射領域以外の領域の面積を小さくすることができ、スクリーンの高輝度化を図ることができる。
【００１２】
本発明では、前記第２凹部は、前記第１基準点から所定寸法離れた位置から前記第１凹部の列間に形成されることが好ましい。
ここで、第１基準点に近い位置から、スクリーンに画像を投射する場合、当該第１基準点から遠ざかるに従って、入射面の法線に対する光の入射角は大きくなる。このため、第１基準点に近い第１凹部では、当該第１凹部の底部近傍に光が入射され、当該光は、観察者側に反射される。一方、第１基準点から遠い第１凹部では、当該第１凹部の端縁（第１基準点から離間する側の端縁）近傍に光が入射される。この場合、入射面に対する傾斜が大きい部位では、観察者側に適切に光を反射させることができないので、前述の第２凹部を配置することで、第１凹部における底部近傍の領域に光が入射されるための光路を確保して、観察者側に光を反射させる。このように、第１基準点に近い第１凹部には、当該光路を確保するための第２凹部が必要ない。従って、第１基準点に近い領域内に第２凹部が配置されていると、第１凹部を密に配置することができなくなるため、スクリーンの高輝度化が十分に図れない。
これに対し、本発明では、第２凹部は、第１基準点から所定寸法離れた位置から第１凹部の列間に配置されるので、当該所定寸法の範囲内の第１凹部間には、第２凹部は配置されないこととなる。これによれば、当該範囲内においては、第１凹部を密に配置することができる。従って、スクリーンの更なる高輝度化を図ることができる。
【００１３】
本発明では、前記第２基準点の位置は、前記第１基準点からの前記第２凹部の距離に応じて、当該第１基準点から離れることが好ましい。
ここで、第２凹部の配置位置と理想的な位置とのずれの方向は、第２基準点から第１基準点に向かう方向であり、当該ずれの量は、第１基準点から離れるに従って大きくなる。
これに対し、本発明では、第１基準点からの第２凹部の距離に応じて、当該第１基準点から離間する方向に第２基準点を設定する。すなわち、第１基準点から遠い第２凹部の列の中心となる第２基準点は、第１基準点に近い第２凹部の列の中心となる第２基準点より第１基準点からより離れる。これによれば、理想的な配置位置からのずれを解消するように第２基準点が設定されるので、第２凹部を理想的な位置により適切に配置できる。従って、更なるスクリーンの高輝度化を図ることができる。
【図面の簡単な説明】
【００１４】
【図１】本発明の一実施形態に係るスクリーンを示す正面図。
【図２】前記実施形態における第１凹部を示す斜視図。
【図３】前記実施形態における第１凹部及び第２凹部を示す斜視図。
【図４】前記実施形態における第２基準点と第１基準点とのずれを示す図。
【図５】前記実施形態の比較例を示す図。
【図６】前記比較例における理想の中心間距離に対するずれ量を示す図。
【図７】前記実施形態における理想の中心間距離に対するずれ量を示す図。
【発明を実施するための形態】
【００１５】
〔スクリーンの全体構成〕
以下、本発明の一実施形態について、図面に基づいて説明する。
図１は、本実施形態に係るスクリーン１を示す正面図である。
本実施形態に係るスクリーン１は、正面側下方に位置するプロジェクター（図示省略）から斜方入射される投射光を反射して、当該投射光により形成される画像を表示するものである。このスクリーン１は、正面視略長方形状に形成されており、当該スクリーン１の正面には、投射光が入射される入射面１１が形成されている。
【００１６】
図２は、入射面１１が有する第１凹部２１を示す斜視図であり、また、図３は、当該入射面１１が有する第１凹部２１及び第２凹部２２を示す斜視図である。
この入射面１１は、当該入射面１１の延長面１１Ａ上に予め設定された点である第１基準点Ｐ１を中心とした所定範囲内の領域１１１（図１における斜線部分）と、当該領域１１１外の領域１１２とを有する。
これらのうち、領域１１１には、図２に示す第１凹部２１のみが複数形成され、領域１１２内には、図３に示すように、第１凹部２１と第２凹部２２とが複数形成されている。
なお、本実施形態では、第１基準点Ｐ１は、入射面１１の中心点Ｃを通る仮想の直線である基準線ＶＬ上に設定されている。
【００１７】
〔第１凹部の構成〕
第１凹部２１は、投射光が入射される凹曲面である。これら第１凹部２１は、図１に示すように、第１基準点Ｐ１を中心とする同心円（円及び楕円を含む）の一部に沿って互いに隣接するように、入射面１１の全面にわたって形成され、これにより、当該入射面１１には、第１凹部２１の列Ｌ１が複数形成される。これら第１凹部２１の内面において、入射された投射光を入射面１１の法線方向に反射可能な領域（有効反射領域）を含む領域には、図２及び図３に示すように、高反射性を有する白色塗料をスプレーなどで塗布するか、アルミや銀を斜方から蒸着するなどして形成された反射層２１Ａが形成されている。
なお、図１においては、第１凹部２１の列Ｌ１のうち、代表的な列Ｌ１を図示しているが、実際には、より細かい間隔で当該列Ｌ１は形成されている。また、図１において図示された列Ｌ１の符号も一部省略している。
【００１８】
〔第１凹部の配置〕
ここで、第１凹部２１の各列Ｌ１の配置について説明する。
第１凹部２１の各列において、詳しい図示を省略するが、第１基準点Ｐ１からの放射方向に隣り合う２列間の寸法（以下「縦ピッチ」という場合がある）は、当該第１基準点Ｐ１から離れるに従って、次第に大きくなる。このため、第１凹部２１の各列において、第１基準点Ｐ１に近い２つの隣り合う２列間の寸法より、当該第１基準点Ｐ１から離れた２つの隣り合う２列間の寸法の方が大きい。
また、第１凹部２１の各列においては、第１基準点Ｐ１及び入射面１１の中心点Ｃを結ぶ仮想の直線である基準線ＶＬと、第１基準点Ｐ１からの放射方向との角度θが大きくなるに従って、縦ピッチは大きくなる。このため、当該角度θが小さい位置である基準線ＶＬ近傍の隣り合う２列間の寸法より、当該角度θが大きい位置である入射面１１の隅部近傍の隣り合う２列間の寸法は大きい。
【００１９】
次に、同列上の第１凹部２１の配置について説明する。
同列上の隣り合う第１凹部２１間の寸法（当該列の延出方向の寸法。以下「横ピッチ」という場合がある）は、第１基準点Ｐ１から離れるに従って次第に大きくなる。このため、第１基準点Ｐ１に近い列における２つの隣り合う第１凹部２１間の寸法より、当該第１基準点Ｐ１から離れた列における２つの隣り合う第１凹部２１間の寸法の方が大きい。
また、第１凹部２１の同じ列における横ピッチは、基準線ＶＬと、第１基準点Ｐ１からの放射方向との角度θが４５度となる位置で最大となり、当該角度が４５度から小さくなるに従って、及び、４５度から大きくなるに従って、小さくなる。このため、第１凹部２１のある列においては、基準線ＶＬ近傍及び入射面１１の隅部近傍の第１凹部２１間の寸法が最小となり、角度θが４５度となる位置に配置された第１凹部２１間の寸法が最大となる。
【００２０】
ここで、第１基準点Ｐ１から離れるに従って、横ピッチを増大させる理由について説明する。
前述したように、角度θの増大に従って縦ピッチを増大させると、第１基準点Ｐ１から、ある第１凹部２１の中心を結ぶ直線と、当該第１凹部２１が位置する列の接線に対する垂線との角度にずれが生じる。この角度ずれは、第１基準点Ｐ１から離れるほど大きくなり、また、基準線ＶＬから離れるほど大きくなる。このため、角度θが同一となる位置であっても、第１基準点Ｐ１に近い位置に形成された第１凹部２１と、当該第１基準点Ｐ１から離れた位置に形成された第１凹部２１とで、入射される投射光を正面側（観察者側）に適切に反射させる領域（有効反射領域）の位置がずれる。
これに対し、第１基準点Ｐ１から離れるに従って横ピッチを増大させることで、有効反射領域のずれに応じて第１凹部２１を配置できる。
【００２１】
また、各列において、角度θが４５度となる位置に形成された隣り合う２つの第１凹部２１間の寸法（横ピッチ）が最大となり、角度θが４５度より増加及び減少するに従って、当該横ピッチが減少するように設定されている。
これによっても、前述の横ピッチの設定と同様に、有効反射領域のずれに応じて第１凹部２１を配置できる。
なお、横ピッチを最大とする角度θは、スクリーン１の大きさやプロジェクターとの位置関係等により変化する場合があり、本実施形態のように４５度に限らない。
【００２２】
〔第２凹部の構成〕
第２凹部２２は、前述のように、領域１１２内の第１凹部２１の列Ｌ１間に複数形成されている。これら第２凹部２２は、図３に示すように、当該第２凹部２２における第１基準点Ｐ１からの放射方向（図３におけるＡ方向）先端側に隣接する第１凹部２１に、投射光を入射させるためのものである。
【００２３】
ここで、投射光が入射面１１に下側から斜方入射される場合、投射光の軌跡と入射面１１の法線との角度は、当該投射光が入射される入射面１１上の位置が投射光の起点（プロジェクターの設置位置）から離れるに従って大きくなる。このため、第２凹部２２が形成されていないと、ある第１凹部２１の有効反射領域に入射される予定の投射光が、当該第１凹部２１の放射方向基端側に位置する他の第１凹部２１の端縁により遮られてしまう。この場合、第１凹部２１の有効反射領域に投射光が入射されないため、スクリーンの正面側の必要な範囲全体に投射光が反射されなくなり、スクリーンの視野角を確保することが困難になる。
このような問題から、第１凹部２１における放射方向基端側に、対応する第１凹部２１に応じて第２凹部２２を形成することにより、第１基準点Ｐ１から離れた位置の第１凹部２１における有効反射領域に、投射光を適切に入射させることができ、スクリーン１の視野角を確保することができる。
【００２４】
〔第２凹部の配置〕
図４は、第２凹部２２を形成する際の第２基準点Ｐ２と、第１基準点Ｐ１とのずれを示す図である。なお、図１及び図４において示すＹ方向は、入射面１１の延長面１１Ａに沿い、かつ、第１基準点Ｐ１から基準線ＶＬに沿って入射面１１に向かう方向であり、＋Ｘ，−Ｘ方向は、延長面１１Ａに沿い、かつ、Ｙ方向に直交する方向であり、互いに反対側を向く方向である。本実施形態では、図１及び図４において右側に向かう方向を＋Ｘ方向とし、左側に向かう方向を−Ｘ方向とする。また、図１及び図４、並びに、後述する図５において示す点Ｄは、入射面１１において第１基準点Ｐ１に最も近い基準線ＶＬ上の点である。
このような第２凹部２２は、図４に示すように、延長面１１Ａ上に予め設定された点である第２基準点Ｐ２を中心とする同心円（円及び楕円を含む）の一部に沿って互いに隣接するように形成され、これにより、第１凹部２１の列Ｌ１間に第２凹部２２の１列が形成され、入射面１１全体で、第２凹部２２の列Ｌ２が複数形成される。
【００２５】
第２基準点Ｐ２は、第１基準点Ｐ１とは異なる位置に設定されている。この他、入射面１１において、基準線ＶＬを挟んで一方側の領域（図１及び図４における右側の領域１１Ｒ）に位置する第２凹部２２についての第２基準点Ｐ２と、他方側の領域（図１における左側の領域１１Ｌ）に位置する第２凹部２２についての第２基準点Ｐ２とは、異なる位置に設定されている。
【００２６】
詳述すると、入射面１１において前述の基準線ＶＬを挟む領域１１Ｌ，１１Ｒのうち、右側（＋Ｘ方向）の領域１１Ｒに位置する第２凹部２２についての第２基準点Ｐ２は、第１基準点Ｐ１から領域１１Ｒとは反対側（−Ｘ方向）に設定されている。また、図示を省略するが、左側（−Ｘ方向）の領域１１Ｌに位置する第２凹部２２についての第２基準点Ｐ２は、第１基準点Ｐ１から領域１１Ｌとは反対側（＋Ｘ方向）に設定されている。このように、第２凹部２２についての第２基準点Ｐ２は、基準線ＶＬから当該第２凹部２２に向かう方向とは反対方向に、第１基準点Ｐ１からずれて設定されている。更に、当該第１基準点Ｐ１に対する第２基準点Ｐ２の−Ｘ方向へのずれ量は、当該第２基準点Ｐ２を基準として形成される第２凹部２２が、第１基準点Ｐ１及び第２基準点Ｐ２から離れるに従って大きい。
【００２７】
なお、本実施形態では、第１基準点Ｐ１に近い位置に形成される第２凹部２２についての第２基準点Ｐ２は、第１基準点Ｐ１と一致するように設定されており、当該第２凹部２２が第１基準点Ｐ１及び第２基準点Ｐ２から離れるに従って、第２基準点Ｐ２の第１基準点Ｐ１からのずれ量を大きくしている。
また、本実施形態では、第１基準点Ｐ１に対する第２基準点Ｐ２のＹ方向へのずれ量を０としているが、当該第２基準点Ｐ２に基づいて位置が設定される第２凹部２２の第１基準点Ｐ１及び第２基準点Ｐ２からの距離等に基づいて設定可能である。
【００２８】
図５は、本実施形態に対する比較例を示す図である。また、図６は、当該比較例での理想の中心間距離に対するずれ量を示す図である。なお、図６及び後述する図７において、実線は理想の中心間距離（理想値）を示し、一点鎖線は実際の中心間距離を示し、点線は理想値と実際の中心間距離とのずれ量を示している。
ここで、第１基準点Ｐ１と第２基準点Ｐ２とが一致する場合について説明する。
図５に示すように、第１基準点Ｐ１と第２基準点Ｐ２とが一致する場合には、第２凹部２２の中心と、当該第２凹部２２に対応する第１凹部２１（第２凹部２２に対して放射方向先端側に隣接する第１凹部２１）の中心との間の距離（中心間距離）は、図６において一点鎖線で示すように、実線で示す理想値と一致しない。
【００２９】
詳述すると、前述の角度θが３０度であるときの中心間距離は、理想値と略一致する。しかしながら、図６に点線で示すように、当該角度θが３０度から減少及び増大するに従って、当該中心間距離と理想値とのずれ量は大きくなる。これは、第２凹部２２が理想的な位置に配置されず、当該第２凹部２２及び対応する第１凹部２１とにより構成されるレンズの形状が大きくなって理想的でないことを示している。なお、理想的なレンズ形状とは、前述の有効反射領域を確保した際の寸法が最も小さくなるレンズ形状を指す。
このため、個々の第１凹部２１内に有効反射領域を確保するためには、第１凹部２１及び第２凹部２２の寸法をそれぞれ大きくする必要があり、当該第１凹部２１及び第２凹部２２により構成されるレンズの寸法が大きくなる。これにより、入射面１１に、当該レンズを密に配置することができなくなって、当該レンズの数が減少するため、入射される投射光の光量に対して、入射面１１の正面側（当該入射面１１の法線方向）に反射される光量の比率が高くない。
【００３０】
図７は、本実施形態に係る理想の中心間距離に対するずれ量を示す図である。
これに対し、第２凹部２２についての第２基準点Ｐ２を、基準線ＶＬから当該第２凹部２２に向かう方向とは反対方向に、第１基準点Ｐ１からずらすことにより、図７に一点鎖線で示すように、第２凹部２２の中心と、対応する第１凹部２１の中心との距離（中心間距離）を、実線で示す理想値と略一致させることができ、これにより、点線で示すずれ量も小さくできる。
これは、第２凹部２２が理想的な位置に配置されていることを示し、これにより、当該第２凹部２２及び対応する第１凹部２１により構成されるレンズの形状が、理想的なレンズ形状に近いことが示している。従って、入射面１１に当該レンズを密に配置することが可能となり、当該レンズの数を多くすることができ、入射される投射光の光量に対して、入射面１１の正面側に反射される光量の比率を高めることができる。よって、スクリーン１の高輝度化を図ることができる。
【００３１】
以上説明した本実施形態に係るスクリーン１によれば、以下の効果がある。
基準線ＶＬを挟んで＋Ｘ方向の領域１１Ｒに位置する第２凹部２２の列の位置を決定する際の第２基準点Ｐ２は、第１基準点Ｐ１から−Ｘ方向にずれて設定され、また、−Ｘ方向の領域１１Ｌに位置する第２凹部２２の列の位置を決定する際の第２基準点Ｐ２は、第１基準点Ｐ１から＋Ｘ方向にずれて設定される。
これによれば、第２凹部２２を、当該第２凹部２２に対応する第１凹部２１に対して理想的な位置に配置することができ、これにより、有効反射領域を確保したままで、第１凹部２１及び第２凹部２２を小さくできる。従って、第１凹部２１及び第２凹部２２により構成されるレンズを入射面１１上に密に配置することができるので、有効反射領域の面積を大きくすることができ、スクリーン１の高輝度化を図ることができる。
【００３２】
スクリーン１の正面側下方に配置されたプロジェクターから投射光が斜方入射される場合には、第１基準点Ｐ１から所定寸法内に配置された第１凹部２１の有効反射領域には、第２凹部２２が無くても、投射光が直接入射可能である。このため、入射面１１においては、第１基準点Ｐ１から所定寸法内の領域１１１には、第２凹部２２は形成されず、当該領域１１１外の領域１１２に、第１凹部２１の列間に第２凹部２２の列を形成している。これによれば、領域１１１内においては、第１凹部２１を一層密に配置することができる。従って、スクリーン１の更なる高輝度化を図ることができる。
【００３３】
第２基準点Ｐ２と第１基準点Ｐ１とのずれ量は、当該第２基準点Ｐ２に基づいて配置される第２凹部２２の第１基準点Ｐ１からの距離に応じて設定される。これによれば、第２凹部２２の理想的な配置位置からのずれを解消するように、第２基準点Ｐ２を設定することができるので、ひいては、第２凹部２２を理想的な位置により適切に配置できる。従って、更なるスクリーン１の高輝度化を図ることができる。
【００３４】
〔実施形態の変形〕
本発明は前述の実施形態に限定されるものではなく、本発明の目的を達成できる範囲での変形、改良等は本発明に含まれるものである。
前記実施形態では、第１基準点Ｐ１は、入射面１１の延長面１１Ａ上に設定されるとしたが、本発明はこれに限らない。すなわち、第１基準点Ｐ１の設定位置は、入射面１１上であってもよい。
【００３５】
前記実施形態では、前述の配置手法によって第１凹部２１の配置位置が設定され、これにより、当該第１凹部２１の列Ｌ１は、第１基準点Ｐ１から離れるに従って、Ｘ方向の半径がＹ方向の半径よりも大きくなる楕円軌道に沿う円弧状とされていたが、本発明はこれに限らない。すなわち、第１凹部の各列の軌跡は、第１基準点を中心とする同心円、或いは、当該同心円の一部を構成する円弧状であればよく、更には、当該円弧と直線との組み合わせでもよい。例えば、第１凹部の各列の軌跡は、真円の一部を構成するものであってもよい。
【００３６】
前記実施形態では、第２凹部２２は、第１基準点Ｐ１から所定寸法離れた領域１１２に形成されているとしたが、本発明はこれに限らない。例えば、領域１１１に第２凹部２２を形成してもよい。すなわち、入射面に対する投射光の入射角度に応じて、第２凹部の形成範囲を設定すればよい。
【００３７】
前記実施形態では、第２基準点Ｐ２の位置は、当該第２基準点Ｐ２に基づいて設定される第２凹部２２の第１基準点Ｐ１からの距離に基づいて設定されるとし、当該距離に基づいて、第１基準点Ｐ１からの第２基準点Ｐ２のずれ量が設定されるとしたが、本発明はこれに限らない。例えば、第２基準点Ｐ２の位置は固定されていてもよい。
【００３８】
前記実施形態では、第２凹部２２は、当該第２凹部２２の投射方向先端側の第１凹部２１に対して１つ形成されていたが、本発明はこれに限らない。すなわち、複数の第２凹部及び１つの第１凹部により、前述のレンズが構成されてもよい。
【産業上の利用可能性】
【００３９】
本発明は、画像が投射されるスクリーンに好適に適用できる。
【符号の説明】
【００４０】
１…スクリーン、１１…入射面、２１…第１凹部、２２…第２凹部、１１Ａ…延長面、Ｃ…中心点、Ｌ１…列（第１凹部の列）、Ｌ２…列（第２凹部の列）、Ｐ１…第１基準点、Ｐ２…第２基準点、ＶＬ…基準線。
【図１】
2012145686.tif 000003
【図２】
2012145686.tif 000004
【図３】
2012145686.tif 000005
【図４】
2012145686.tif 000006
【図５】
2012145686.tif 000007
【図６】
2012145686.tif 000008
【図７】
2012145686.tif 000009